(57)【要約】【課題】  本発明は、プラグインユニット、筺体及び電子装置に関し、ＬＥＤ部品や表示ラベル等の視認性を低下させることなく、接続可能な光モジュールの数を増加させることができ、かつ装置のメンテナンス性を向上させることを課題とする。【解決手段】  第１及び第２の挿入部６７Ｂ，７１Ｂを有した光モジュール用ハウジング６５を備えたバックボード６０の第１及び第２の挿入部６７Ｂ，７１Ｂに光モジュール８０を挿入し、挿入部５０Ａ内にコネクタ５２を有したコネクタ用ハウジング５０を装置背面側に備えたプラグインユニット４２をバックボード６０に装着し、光モジュール８０とコネクタ５２とを電気的に接続する。【選択図】  図１６
2005116751.tif 000002
【特許請求の範囲】
【請求項１】
光ケーブルが接続される光モジュールを接続する第１のコネクタと、
筺体に対して着脱する際に用いられる着脱用レバーとを備えたプラグインユニットにおいて、
前記着脱用レバーが設けられている側とは反対側の位置に前記第１のコネクタと、
前記光モジュールが挿入される挿入部とを備えたコネクタ用ハウジングとを設けたことを特徴とするプラグインユニット。
【請求項２】
請求項１に記載のプラグインユニットが装着されるバックボードを有する筺体において、
前記バックボードは、
前記光モジュールを挿抜可能に装着する光モジュール用ハウジングを設けてなることを特徴とする筺体。
【請求項３】
前記光モジュール用ハウジングには、前記光モジュールを係止するための係止部が設けられていることを特徴とする請求項２に記載のバックボード。
【請求項４】
請求項１に記載されたプラグインユニットと、
請求項２または３に記載された筐体とを有することを特徴とする電子装置。
【請求項５】
前記光モジュール用ハウジングは、
前記バックボードの第１の面に設けられると共に、第１の挿入部が形成された第１のハウジングと、
前記第１の面の反対側に位置する第２の面に設けられると共に、内部に静電気を放電するための金属板が配設された第２の挿入部が形成された第２のハウジングとを有し、前記第１及び第２の挿入部の内部に前記光モジュールが挿入される構成とされたことを特徴とする請求項４に記載の電子装置。
【発明の詳細な説明】
【技術分野】
【０００１】
プラグインユニット、筺体及び電子装置に係り、特に光モジュールを用いて情報処理又は通信を行うプラグインユニット、筺体及び電子装置に関する。
【背景技術】
【０００２】
光信号を多重化する光通信システムの電子装置には、光信号伝送線路として光ケーブルと複数のプリント配線基板との間を光コネクタにより接続して情報処理又は通信等を行うものがある（例えば、特許文献１参照。）。
【０００３】
このような電子装置では、データ量の増大、インターネットの普及に伴う伝送需要の増大などによる基幹網の大容量化の要求があり，装置の高密度化、情報伝送容量の大容量化、高機能化等が求められている。しかし、先に述べた光コネクタでは、多種多様な信号に対応できないため、光モジュールを適用した電子装置が用いられている。
【０００４】
近年、光モジュールのうちの１つであるＳＦＰモジュールが普及し、ＳＦＰモジュールを装着するための装着用ケース及びコネクタがプラグインユニット（ＰＬＵＧ  ＩＮ  ＵＮＩＴ）に実装されており、この装着用ケースに光ケーブルが接続されたＳＦＰモジュールを装着して運用する方式が増加している。このようなＳＦＰモジュールは、モジュールの増設や他のモジュールへの交換が可能な構成とされている。
【０００５】
このような電子装置は、装置に対する初期投資を最小限に押さえるため、当初は必要な回線数だけ回路を実装され、必要に応じて光モジュールや電気モジュール等の増設やモジュールの交換が行われる。
【０００６】
図１は従来の電子装置の斜視図であり、図２はバックボードが装着されたプラグインユニットの平面図であり、図３はロッカーに収納された電子装置の平面図である。なお、図１乃至図３中に示した「装置前面側」は、着脱用レバー１４が設けられている側を示しており、「装置背面側」は、着脱用レバー１４が設けられている側とは反対側を示している。
【０００７】
図１乃至図３に示すように、電子装置１０は、大略すると筺体１１と、プラグインユニット１２と、バックボード２５とにより構成されている。図１に示すように、筺体１１の装置前面側には、プラグインユニット１２を筺体１１内に収納するための開口部が形成されている。また、筺体１１内には、複数のプラグインユニット１２が収納されている。
【０００８】
プラグインユニット１２は、大略するとプリント配線基板１３と、装着用レバー１４と、装着用ケース１５と、電子部品１６と、ＬＥＤ部品１７と、光モジュール１８と、プラグ１９と、光ケーブル２１と、電気的接続用コネクタ２３とにより構成されている。プリント配線基板１３上には、複数の電子部品１６が設けられている。
【０００９】
プリント配線基板１３の装置前面側には、プラグインユニット１２を挿抜するための装着用レバー１４と、光モジュール１８を装着するための複数の装着用ケース１５と、動作確認用のＬＥＤ部品１７とが形成されている。また、ＬＥＤ部品１７の近傍には、ＬＥＤ部品の名称を示す表示ラベルが設けられている。
【００１０】
装着用ケース１５には、光モジュール１８と電気的に接続するためのコネクタ２２が設けられている。図２に示すように、複数設けられた装着用ケース１５に対して、光ケーブル２１が接続された光モジュール１８を装着することでプリント配線基板１３と電気的に接続される。この際、全ての装着用ケース１５に光モジュール１８が装着されるのではなく、所望の個数の光モジュール１８のみが装着用ケース１５に装着される。また、ＬＥＤ部品１７tugannや表示ラベルが確認できるように、複数の光ケーブル２１はホルダ２４により束ねられている。プリント配線基板１３の装置背面側には、バックボード２５を接続するための電気的接続用コネクタ２３が設けられている。
【００１１】
バックボード２５は、大略するとバックボード本体２６と、プラグ２７とにより構成されている。プラグ２７は、バックボード本体２６に設けられており、プラグ２７が電気的接続用コネクタ２３に装着されることで、バックボード２５とプラグインユニット１２とは電気的に接続される。
【００１２】
電子装置１０は、図３に示すように、ロッカー２９内に収納され、支持部２９ａにより支持される。ロッカー２９の前面２９Ａと電子装置１０との間には、光ケーブル２１を束ねて収容するための領域Ａが設けられている。また、ロッカー２９の支持部２９ａには、電子装置１０を安定して支持するための補強部材３１が設けられている。
【００１３】
上記構成の電子装置１０は、光モジュール１８を必要な個数だけ実装すれば良く、初期の装置への投資を抑制できる。また、プラグインユニット１２を抜くことなく、他回線を使用した状態で対象回線の光モジュール１８の増設が可能であり、また伝送距離などが異なる他種モジュールに交換することができる。
【特許文献１】特開２０００−１４７２６９号公報
【発明の開示】
【発明が解決しようとする課題】
【００１４】
しかし、従来の電子装置１０では、光モジュール１８を装着するための複数の装着用ケース１５が、ＬＥＤ部品１７や表示ラベル等が設けられた装置前面側のプリント配線基板１３に配設されているため、装着用ケース１５を設けることのできる領域が限定され、多くの光モジュール１８を装着することができないという問題があった。
【００１５】
また、光ケーブル２１が接続された光モジュール１８は、装置前面側に設けられた装着用ケース１５に装着されるため、装着用レバー１４によりプラグインユニット１２を挿抜する際、光ケーブル２１が邪魔になるという問題や、光ケーブル２１が邪魔となりＬＥＤ部品１７や表示ラベル等の認識が困難であるという問題があった。さらに、プラグインユニット１２を筺体１１から取り外して、プラグインユニット１２の保守検査を行う際、対象となるプラグインユニット１２に接続された光ケーブル２１を全て取り外さなければならないためメンテナンス性が低下するという問題があった。
【００１６】
また、電子装置１０をロッカー２９に収納する際、光ケーブル２１を束ねて収容するための領域Ａをロッカー２９の前面２９Ａに設けるため、ロッカー２９の支持部２９ａに補強部材３１を設ける必要があるという問題があった。
【００１７】
本発明は、上述した問題点に鑑みなされたものであり、ＬＥＤ部品や表示ラベル等の視認性を低下させることなく、接続可能な光モジュールの数を増加させることができ、かつ装置のメンテナンス性を向上させることのできるプラグインユニット、筺体及び電子装置を提供することを目的とする。
【課題を解決するための手段】
【００１８】
上記課題を解決するために本発明では、次に述べる各手段を講じたことを特徴とするものである。
【００１９】
請求項１記載の発明では、光ケーブルが接続される光モジュールを接続する第１のコネクタと、筺体に対して着脱する際に用いられる着脱用レバーとを備えたプラグインユニットにおいて、前記着脱用レバーが設けられている側とは反対側の位置に前記第１のコネクタと、前記光モジュールが挿入される挿入部とを備えたコネクタ用ハウジングとを設けたことを特徴とするプラグインユニットにより、解決できる。
【００２０】
上記発明によれば、着脱用レバーが設けられている側とは反対側の位置は、コネクタ用ハウジングの配設数を増加できるため、従来よりも多くの光モジュールをコネクタ用ハウジングに接続させることができる。また、着脱用レバーが設けられている側とは反対側の位置に光ケーブルが接続された光モジュールを接続するため、着脱用レバーが設けられている側に配設されたＬＥＤ部品や表示ラベル等の視認性を向上させることができる。
【００２１】
請求項２記載の発明では、請求項１に記載のプラグインユニットが装着されるバックボードを有する筺体において、前記バックボードは、前記光モジュールを挿抜可能に装着する光モジュール用ハウジングを設けてなることを特徴とする筺体により、解決できる。
【００２２】
上記発明によれば、バックボードに光モジュールを挿抜可能に装着する光モジュール用ハウジングを設けることにより、プラグインユニットをメンテナンスする際、光モジュールに接続された光ケーブルを抜くことなく、プラグインユニットを筺体から抜き出すことができるので、メンテナンス性を向上させることができる。
【００２３】
請求項３記載の発明では、前記光モジュール用ハウジングには、前記光モジュールを係止するための係止部が設けられていることを特徴とする請求項２に記載のバックボードにより、解決できる。
【００２４】
上記発明によれば、光モジュール用ハウジングに光モジュールを係止するための係止部を設けることにより、光モジュール用ハウジングに光モジュールを係止させたままプラグインユニットを筺体から挿抜することができる。
【００２５】
請求項４記載の発明では、請求項１に記載されたプラグインユニットと、請求項２または３に記載された筐体とを有することを特徴とする電子装置により、解決できる。
【００２６】
上記発明によれば、従来よりも多くの光モジュールを接続させることができ、かつＬＥＤ部品や表示ラベル等の視認性を向上させることができる。また、装置のメンテナンス性を向上させることができる。
【００２７】
請求項５記載の発明では、前記光モジュール用ハウジングは、前記バックボードの第１の面に設けられると共に、第１の挿入部が形成された第１のハウジングと、前記第１の面の反対側に位置する第２の面に設けられると共に、内部に静電気を放電するための金属板が配設された第２の挿入部が形成された第２のハウジングとを有し、前記第１及び第２の挿入部の内部に前記光モジュールが挿入される構成とされたことを特徴とする請求項４に記載の電子装置により、解決できる。
【００２８】
上記発明によれば、第１及び第２の挿入部内に光モジュールを挿入することができる。また、金属板により光モジュールに帯電した静電気を放電して、プラグインユニットの破損を防止することができる。
【発明の効果】
【００２９】
本発明によれば、ＬＥＤ部品や表示ラベル等の視認性を低下させることなく、光モジュールの数を増加させることができ、かつ装置のメンテナンス性を向上させることのできるプラグインユニット、筺体及び電子装置を提供することを目的とする。
【発明を実施するための最良の形態】
【００３０】
次に、図面に基づいて本発明の実施例を説明する。
【００３１】
始めに、図４を参照して、本発明の一実施例による電子装置４０の概略の構成について説明する。図４は、本発明の一実施例による電子装置の概略図である。なお、図４中に示した「装置前面側」は、着脱用レバー４４が設けられている側（プラグインユニット４２の挿抜が行われる側）を示しており、「装置背面側」は着脱用レバー４４が設けられている側とは反対側を示している。また、着脱用レバー４４は、プラグインユニット４２を引き出すため、装置前面側に設けられている。
【００３２】
電子装置４０は、大略すると筺体４１とプラグインユニット４２とから構成されている。複数のプラグインユニット４２は、筺体４１内に収容されており、筺体４１に設けられたバックボードに装着されている。
【００３３】
次に、図５乃至図８を参照して、プラグインユニット４２について説明する。図５は本実施例によるプラグインユニットの概略図であり、図６はコネクタ用ハウジングの概略図である。また、図７はプラグインユニットに設けられるコネクタの斜視図であり、図８は図７に示したコネクタをＢ視した図である。なお、図５に示した「装置前面側」は、着脱用レバー４４が設けられている側（プラグインユニット４２の挿抜が行われる側）を示しており、「装置背面側」は着脱用レバー４４が設けられている側とは反対側を示している。また、図５中のＢ１，Ｂ２は、方向（以下、それぞれＢ１方向、Ｂ２方向）を示している。
【００３４】
図５に示すように、プラグインユニット４２は、大略するとプリント配線基板４３と、着脱用レバー４４と、電子部品４５と、ＬＥＤ部品４６と、スイッチ部品４７と、電気的接続用コネクタ部４８と、コネクタ用ハウジング５０等とにより構成されている。プリント配線基板４３には、電子部品４５が設けられており、電子部品４５等と電気的に接続するための配線が形成されている。プリント配線基板４３の装置前面側には、プラグインユニット４２を筺体４１に対して挿抜可能とするための一対の着脱用レバー４４と、ＬＥＤ部品４６と、スイッチ部品４７と、部品名を示した表示ラベルとが配設されている。また、図５に示した状態から２つの着脱用レバー４４をＢ１方向又はＢ２方向に動かすことで、プラグインユニット４２を抜き出すことができる。
【００３５】
プリント配線基板４３の装置背面側には、電気的接続用コネクタ４８と、コネクタ用ハウジング５０とが設けられている。電気的接続用コネクタ４８は、バックボード６０に設けられた後述する電気的接続用プラグ６２と接続するためのものである。電気的接続用コネクタ部４８には、係止用突起４９が設けられている。この係止用突起４９は、電気的接続用プラグ６２に設けられた後述する係止用溝６３に係止される。コネクタ用ハウジング５０は、後述する光モジュール用ハウジング６５に装着された光モジュール８０と接続するためのものである。装置前面側は、機能上、ＬＥＤ部品４６、スイッチ部品４７及び表示ラベル等を設ける必要があるため、コネクタ用ハウジング５０を設けることのできる領域は少ないが、装置背面側は自由度が大きい。
【００３６】
このように、自由度の大きい装置背面側にプリント配線基板４３のコネクタ用ハウジング５０を設けることにより、コネクタ用ハウジング５０を多く配設して、従来よりも多くの光モジュール８０を接続することができる。また、プリント配線基板４３の装置背面側から光モジュール８０が接続されるため、光モジュール８０に接続された光ケーブル９２が装置前面側に設けられたＬＥＤ部品４６、スイッチ部品４７及び表示ラベル等を覆うことがなくなり、ＬＥＤ部品４６、スイッチ部品４７及び表示ラベル等の視認性を向上させることができる。
【００３７】
次に、図６を参照して、コネクタ用ハウジング５０について説明する。図６は、コネクタ用ハウジングの構成を示した図である。コネクタ用ハウジング５０は、大略するとコネクタ用ハウジング本体５１と、コネクタ５２と、係止用突起５５とにより構成されている。コネクタ用ハウジング本体５１の光モジュール８０が接続される側には、光モジュール８０を挿入するための挿入部５１Ａが２つ形成されている。挿入部５１Ａ内には、光モジュール８０と電気的に接続される第１のコネクタであるコネクタ５２が配設されている。
【００３８】
図７乃至図８に示すように、コネクタ５２は、大略するとコネクタ本体５６と、ピン端子５７，５８とにより構成されている。コネクタ本体５６には、挿入部５６Ａが形成されている。挿入部５６Ａを形成するコネクタ本体５６の上面には、１０本のピン端子５８が配設されており、下面には１０本のピン端子５７が配設されている。コネクタ５２に形成された挿入部５６Ａには、光モジュール８０に設けられた後述する端子部８１Ａが挿入され、ピン端子５７，５８とピン端子８１とが電気的に接続される。
【００３９】
コネクタ用ハウジング本体５１には、後述する光モジュール用ハウジング６５を係止するための係止用突起５５が設けられている。また、挿入部５１Ａが形成された領域に位置するコネクタ用ハウジング本体５１には、面取り部５１Ｂが形成されている。
【００４０】
このように、コネクタ用ハウジング本体５１に面取り部５１Ｂを形成することにより、コネクタ用ハウジング５０に光モジュール８０を挿入する際、光モジュール８０をスムーズに挿入部５１Ａ内に案内することができる。
【００４１】
次に、図９乃至図１２を参照して、筺体４１に設けられたバックボード６０について説明する。図９は光モジュールが接続されたバックボードの概略図であり、図１０はバックボードに設けられた光モジュール用ハウジングの拡大図である。なお、図９乃至図１０に示した第１の面６１Ａは、プラグインユニット４２に接続される側の面を示しており、第２の面６１Ｂは第１の面の反対側の面である。また、図１１は図１０に示した第２のハウジングのＢ１―Ｂ２方向の断面図であり、図１２は図１０中のＢ１−Ｂ２方向に直交する方向の第２のハウジングの断面図である。
【００４２】
図９に示すように、バックボード６０は、大略するとバックボード本体６１と、電気的接続用プラグ６２と、光モジュール用ハウジング６５とにより構成されている。電気的接続用プラグ６２は、バックボード６０とプラグインユニット４２との間を電気的に接続するためのものであり、電気的接続用コネクタ４８に接続される。
【００４３】
次に、図１０を参照して、光モジュール用ハウジング６５について説明する。光モジュール用ハウジング６５は、光モジュール８０を装着するためのものであり、大略すると第１のハウジング６７と、第２のハウジング７１とにより構成されている。
【００４４】
第１のハウジング６７は、バックボード本体６１の第１の面６１Ａ（請求項５記載の第１の面）に配設されている。第１のハウジング６７は、大略すると第１のハウジング本体６７Ａと、誤挿入防止用部材６８とにより構成されている。
【００４５】
第１のハウジング本体６７Ａには、光モジュール８０を挿入するための第１の挿入部である挿入部６７Ｂが２つ形成されている。２つの挿入部６７Ｂの間に位置する第１のハウジング本体６７Ａには、係止用溝６９が形成されている。この係止用溝６９は、コネクタ用ハウジング５０に設けられた係止用突起５５を係止するためのものであり、これによりコネクタ用ハウジング５０に第１のハウジング６７が装着される。第１のハウジング本体６７Ａのプラグインユニット４２側には、一対の誤挿入防止用部材６８が設けられており、一対の誤挿入防止用部材６８の対向する端部には、面取り部６８Ａがそれぞれ形成されている。
【００４６】
このように、第１のハウジング６７に一対の誤挿入防止用部材６８を設けることにより、光モジュール８０が装着された第１のハウジング６７が、誤って電気的接続用コネクタ４８に接続されることを防いで、光モジュール８０や電気的接続用コネクタ４８等の破損を防止できる。また、一対の誤挿入防止用部材６８の対向する端部に面取り部６８Ａを形成することにより、バックボード６０をプラグインユニット４２に接続する際、コネクタ用ハウジング５０と第１のハウジング６７との間に多少の位置ずれがあった場合でもコネクタ用ハウジング５０に第１のハウジング６７を接続することができる。
【００４７】
次に、図１０乃至図１２を参照して、第２のハウジング７１について説明する。第２のハウジング７１は、バックボード本体６１の第２の面６１Ｂ（請求項５記載の第２の面）に配設されている。第２のハウジング７１は、大略すると第２のハウジング本体７１Ａと、金属板７２とにより構成されている。第２のハウジング本体７１Ａには、光モジュール８０を挿入するための第２の挿入部７１Ｂが２つ形成されており、この第２の挿入部７１Ｂは、第１の挿入部６７Ｂと接続されている。
【００４８】
また、第２の挿入部７１Ｂを形成する第２のハウジング７１の面と、第２のハウジング７１のプラグインユニット４２側の面には、静電気を放電するための金属板７２が配設されている。図１１に示すように、第２の挿入部７１Ｂを形成する第２のハウジング７１の面に配設された金属板７２には、弾性部である複数のバネ部７４と、係止部７３とが設けられている。複数のバネ部７４は、光モジュール８０を支持するためのものであり、金属板７２と同種の金属材料で形成されている。
【００４９】
なお、係止部７３は、請求項３に記載の光モジュールを係止するための係止部のことである。係止部７３には、後述する係止用突起８２を係止するための溝部が形成されている。また、金属板７２は、バネ部７５を介してバックボード６０に電気的に接続されている。
【００５０】
このように、第２のハウジング７１に静電気を放電するための金属板７２を設けることにより、光モジュール８０に帯電した静電気を放電して、プラグインユニット４２の破損を防止することができる。また、金属板７２に係止部７３を設けることにより、光モジュール８０に設けられた後述する係止用突起８２を係止して、光モジュール用ハウジング６５内に光モジュール８０を装着することができる。
【００５１】
図１２に示すように、第２のハウジング７１のプラグインユニット４２側の面に配設された金属板７２には、弾性部であるバネ部７５が設けられている。このバネ部７５は、金属板７２と同種の金属材料で形成されている。
【００５２】
このように、第２のハウジング７１のプラグインユニット４２側の面に、金属材料で形成されたバネ部７５を設けることにより、バックボード本体６１と電気的に接続できると共に、第１のハウジング６７に対して第２のハウジング７１をある程度、変位させることができ、光モジュール８０を光モジュール用ハウジング６５にスムーズに挿入することができる。
【００５３】
次に、図１３乃至図１４を参照して、光モジュール８０の構成について説明する。光モジュール８０とは、光電変換機能を有するものである。図１３は、光モジュールの平面図であり、図１４は、図１３に示した光モジュールをＤ視した図である。なお、図１３乃至図１４に示したＣは、スライド式レバー８３のスライド可能な方向（以下、方向Ｃ）を示している。
【００５４】
光モジュール８０は、大略すると光モジュール本体８０Ａと、端子部８１Ａと、端子８１と、係合用突起８２と、スライド式レバー８３と、ケース部８４とにより構成されている。光モジュール本体８０Ａは、ケース部８４内に配設されている。端子部８１Ａは、光モジュール本体８０Ａの一方の端部に設けられており、端子部８１Ａには複数の端子８１が配設されている。この端子部８１Ａが、コネクタ５２の挿入部５６Ａに挿入され、端子８１とピン端子５７，５８とが接触することで、光モジュール８０とプラグインユニット４２との間が電気的に接続される。
【００５５】
端子部８１Ａが形成されていない側のケース部８４には、係止用突起８２と、スライド式レバー８３とが配設されており、スライド式レバー８３は、Ｃ方向にスライド可能な構成とされている。図１５は、第２のハウジングに装着された光モジュールを示した図である。なお、図１５において、第２のハウジン７１は断面図で示している。図１５に示すように、係止用突起８２は、第２のハウジング７１に設けられた係止部７３により係止されるものである。
【００５６】
スライド式レバー８３は、第２のハウジング７１に装着された光モジュール８０を取り外すためのものである。図１５に示した状態において、スライド式レバー８３をＥ方向にスライドさせて、図１５中の上方に係止部７３を移動させることにより、係止部７３の溝部から係止用突起８２が外れ、第２のハウジング７１から光モジュール８０を抜き出すことができる。
【００５７】
次に、図１６乃至図１８を参照して、上記説明したプラグインユニット４２と、バックボード６０と、光モジュール８０との接続方法について説明する。図１６は、接続前のプラグインユニット、バックボード及び光モジュールを示した図であり、図１７は、接続前のプラグインユニットと光モジュールが装着されたバックボードとを示した図であり、図１８は、光モジュールが装着されたバックボードが接続されたプラグインユニットを示した図である。なお、図１６乃至図１８において、先に説明した図５及び図６（プラグインユニット４２を説明する際に使用した図）、図９及び図１０（バックボード６０を説明する際に使用した図）、図１３（バックボード６０を説明する際に使用した図）と同一構成部分には、同一の符号を付して説明を省略する。
【００５８】
図１６に示した状態から、プラグ９１及び光ケーブル９２が接続された光モジュール８０が、光モジュール用ハウジング６５に形成された第１及び第２の挿入部６７Ａ，７１Ａに挿入される。図１７に示すように、光モジュール用ハウジング６５に光モジュール８０が装着された際、端子部８１Ａは光モジュール用ハウジング６５から突出された状態となる。なお、端子部８１Ａの突出量は、誤挿入防止用部材６８の突出量よりも少なくなるようにあらかじめ設定されている。このようにすることで、バックボード６０にプラグインユニット４２を接続する際、光モジュール８０よりも先に誤挿入防止用部材６８をプラグインユニット４２と接触させることができ、誤挿入によりプラグインユニット４２及びバックボード６０が破損することを防止できる。
【００５９】
図１７に示した光モジュール８０が挿入されたバックボード６０とプラグインユニット４２とが接続されると図１８に示すような状態となる。この光モジュール８０、バックボード６０及びプラグインユニット４２が接続された状態から、プラグインユニット４２をバックボード６０から取り外す（筐体４１から取り外す）場合、図１７に示すように本実施例では、光モジュール８０に接続された光ケーブル９２を抜く必要がないため、プラグインユニット４２の着脱を容易に行うことができ、メンテナンス性を向上させることができる。
【００６０】
図１９は、ロッカーに収納された本実施例の電子装置を示した平面図である。図１９に示すように、電子装置４０では、光モジュール８０に接続された光ケーブル９２は装置背面側にあり、複数の光ケーブル９２は、ロッカー９５の背面９５Ｃと電子装置４０の背面との間に形成された領域Ｆに収納されている。そのため、従来技術のように装置前面側に光ケーブル９２を収納するための領域を設ける必要がない。したがって、複数の電子装置を収納可能なロッカー９５に電子装置４０を収納する場合には、電子装置４０の前面の位置をロッカー９５の前面９５Ｂの位置と略同じにすることができる。これにより、従来技術のように電子装置を支持する支持部９５ａに補強部材を設ける必要がなく、部品数を削減できる。
【００６１】
以上、本発明の好ましい実施例について詳述したが、本発明はかかる特定の実施形態に限定されるものではなく、特許請求の範囲内に記載された本発明の要旨の範囲内において、種々の変形・変更が可能である。
（付記１）  光ケーブルが接続される光モジュールを接続する第１のコネクタと、
筺体に対して着脱する際に用いられる着脱用レバーとを備えたプラグインユニットにおいて、
前記着脱用レバーが設けられている側とは反対側の位置に前記第１のコネクタと、
前記光モジュールが挿入される挿入部を備えたコネクタ用ハウジングとを設けたことを特徴とするプラグインユニット。
（付記２）  前記挿入部の内側の開放端は、前記光モジュールの接続を案内するための面取り部が設けられていることを特徴とする付記１に記載のプラグインユニット。
（付記３）  付記１または２に記載のプラグインユニットが装着されるバックボードを有する筺体において、
前記バックボードは、
前記光モジュールを挿抜可能に装着する光モジュール用ハウジングを設けてなることを特徴とする筺体。
（付記４）  前記光モジュール用ハウジングには、前記光モジュールを係止するための係止部が設けられていることを特徴とする付記３に記載のバックボード。
（付記５）  付記１または２に記載されたプラグインユニットと、
付記３または４に記載された筐体とを有することを特徴とする電子装置。
（付記６）  前記光モジュール用ハウジングは、
前記バックボードの第１の面に設けられると共に、第１の挿入部が形成された第１のハウジングと、
前記第１の面の反対側に位置する第２の面に設けられると共に、内部に静電気を放電するための金属板が配設された第２の挿入部が形成された第２のハウジングとを有し、前記第１及び第２の挿入部の内部に前記光モジュールが挿入される構成とされたことを特徴とする付記５に記載の電子装置。
（付記７）  前記金属板には、第２の面と電気的に接続される第１の弾性部を設けたことを特徴とする付記６に記載の電子装置。
（付記８）  前記金属板に第２の弾性部を設け、
前記光モジュールが前記第２の弾性部に支持される構成としたことを特徴とする付記６または７に記載の電子装置。
（付記９）  前記第１のハウジングに一対の誤挿入防止用部材を設け、
前記一対の誤挿入防止用部材の端部に面取り部を形成したことを特徴とする付記５乃至８のいずれか１項に記載の電子装置。
（付記１０）  前記光モジュールには、係合用突起が設けられており、
前記光モジュール用ハウジングに前記係合用突起が係合する係合用溝を設けたことを特徴とする付記５乃至９のいずれか１項に記載の電子装置。
【産業上の利用可能性】
【００６２】
光モジュールを用いて情報処理又は通信を行うプラグインユニット、筺体及び電子装置に適用できる。
【図面の簡単な説明】
【００６３】
【図１】従来の電子装置を示した斜視図である。
【図２】バックボードが装着されたプラグインユニットの平面図である。
【図３】ロッカーに収納された電子装置の平面図である。
【図４】本発明の一実施例による電子装置の概略図である。
【図５】本実施例によるプラグインユニットの概略図である。
【図６】コネクタ用ハウジングの概略図である。
【図７】プラグインユニットに設けられたコネクタの斜視図である。
【図８】図７に示したコネクタをＢ視した図である。
【図９】光モジュールが接続されたバックボードの概略図である。
【図１０】バックボードに設けられた光モジュール用ハウジングの拡大図である。
【図１１】図１０に示した第２のハウジングのＢ１―Ｂ２方向の断面図である。
【図１２】図１０中に示したＢ１−Ｂ２方向に直交する方向の第２のハウジングの断面図である。
【図１３】光モジュールの平面図である。
【図１４】図１３に示した光モジュールをＤ視した図である。
【図１５】第２のハウジングに装着された光モジュールを示した図である。
【図１６】接続前のプラグインユニット、バックボード及び光モジュールを示した図である。
【図１７】接続前のプラグインユニットと光モジュールが装着されたバックボードとを示した図である。
【図１８】光モジュールが装着されたバックボードが接続されたプラグインユニットを示した図である。
【図１９】ロッカーに収納された本実施例の電子装置を示した平面図である。
【符号の説明】
【００６４】
１０、４０  電子装置
１１、４１  筺体
１２、４２  プラグインユニット
１３、４３  プリント配線基板
１４、４４  着脱用レバー
１５  装着用ケース
１６、４５  電子部品
１７、４６  ＬＥＤ部品
１８、８０  光モジュール
１９、９１  プラグ
２１、９２  光ケーブル
２２  コネクタ
２３  電気的接続用コネクタ
２４  ホルダ
２５、６０  バックボード
２６、６１  バックボード本体
２７  プラグ
２９、９５  ロッカー
２９ａ、９５ａ  支持部
２９Ａ、９５Ｂ  前面
３１  補強部材
４７  スイッチ部品
４８  電気的接続用コネクタ
４９  係止用突起
５０  コネクタ用ハウジング
５１  コネクタ用ハウジング本体
５１Ａ、５６Ａ、６７Ｂ  挿入部
５１Ｂ  面取り部
５２  コネクタ
５５  係止用突起
５６  コネクタ本体
５７、５８  ピン端子
６１  バックボード本体
６１Ａ  第１の面
６２  電気的接続用プラグ
６３  係止用溝
６５  光モジュール用ハウジング
６７  第１のハウジング
６７Ａ  第１のハウジング本体
６８  誤挿入防止用部材
６８Ａ  面取り部
６９  係止用溝
７１  第２のハウジング
７１Ａ  第２のハウジング本体
７１Ｂ  第２の挿入部
７２  金属板
７４、７５  バネ部
８１  ピン端子
７３  係止部
８０Ａ  光モジュール本体
８１Ａ  端子部
８１  端子
８２  係止用突起
８３  スライド式レバー
８４  ケース部
９１  プラグ
９２  光ケーブル
９５  ロッカー
９５Ａ  前面
９５Ｃ  背面
Ａ、Ｆ  領域
【図１】
2005116751.tif 000003
【図２】
2005116751.tif 000004
【図３】
2005116751.tif 000005
【図４】
2005116751.tif 000006
【図５】
2005116751.tif 000007
【図６】
2005116751.tif 000008
【図７】
2005116751.tif 000009
【図８】
2005116751.tif 000010
【図９】
2005116751.tif 000011
【図１０】
2005116751.tif 000012
【図１１】
2005116751.tif 000013
【図１２】
2005116751.tif 000014
【図１３】
2005116751.tif 000015
【図１４】
2005116751.tif 000016
【図１５】
2005116751.tif 000017
【図１６】
2005116751.tif 000018
【図１７】
2005116751.tif 000019
【図１８】
2005116751.tif 000020
【図１９】
2005116751.tif 000021